(57)【要約】      （修正有）【課題】フロント枠とヨロイ部との間に弾性部材を備え、ソフトな装着感が得られるとともに、デザインの幅を広げることが可能な眼鏡フレームを提供する。【解決手段】ブリッジ３１を備えるフロント枠３０の両端部を形成するフロント端部３２と、蝶番８０を介してテンプル部６０が連結されるヨロイ部５０とが、弾性部材２０によって接続され、フロント端部３２とヨロイ部５０とが並置され、弾性部材２０は、Ｕ字状の湾曲部を挟む一対のばね片が、弾性的に開閉する弾性開閉面を備え、テンプル部６０の回動面に沿った力を加えることにより弾性部材２０が開閉する。【選択図】図１
2016145882.tif 000002
【特許請求の範囲】
【請求項１】
ブリッジを備えるフロント枠の両端部を形成するフロント端部と、蝶番を介してテンプル部が連結されるヨロイ部とが、弾性部材によって接続される眼鏡フレームであって、
前記フロント端部と前記ヨロイ部とが並置され、
前記弾性部材は、Ｕ字状の湾曲部を挟む一対のばね片が、弾性的に開閉する弾性開閉面を備え、前記テンプル部の回動面に沿った力を加えることにより、前記弾性部材が開閉することを特徴とする眼鏡フレーム。
【請求項２】
前記ヨロイ部が、前記フロント端部の下側に並置されていることを特徴とする請求項１に記載の眼鏡フレーム。
【請求項３】
前記弾性部材が、前記湾曲部を、前記ブリッジから離間する方向に向けて位置することを特徴とする請求項１又は２に記載の眼鏡フレーム。
【請求項４】
前記一対のばね片について、外側に位置する方を第１のばね片、内側に位置する方を第２のばね片とするとき、前記第１のばね片の外側部が、前記ヨロイ部の内面に接続されることを特徴とする請求項１乃至３の何れか１項に記載の眼鏡フレーム。
【請求項５】
前記第２のばね片が、端部に接続片を備え、前記接続片の上端部が、前記フロント端部の下面に接続されることを特徴とする請求項４に記載の眼鏡フレーム。
【請求項６】
レンズを備えるレンズ枠が、前記フロント枠の内側に取り付けられることを特徴とする請求項１乃至５の何れか１項に記載の眼鏡フレーム。
【請求項７】
前記蝶番が、弾性体を備えてなることを特徴とする請求項１乃至６の何れか１項に記載の眼鏡フレーム。
【請求項８】
前記弾性部材が、超弾性材料からなることを特徴とする請求項１乃至７の何れか１項に記載の眼鏡フレーム。
【発明の詳細な説明】
【技術分野】
【０００１】
本発明は眼鏡フレームに関し、特に、弾性材料を用いてソフトな装着感が得られる金属製又は樹脂製の眼鏡フレームに関する。
【背景技術】
【０００２】
ソフトな装着感を得るために、眼鏡フレームの構成部材として超弾性材料が使用されている。超弾性材料は力を加えると大きなひずみで変形するとともに、その力を除くと元の形状に戻る材料である。特許文献１には、超弾性材料として、チタンとニッケルとの合金やポリアミド系の樹脂が記載され、図１２に示すような眼鏡フレーム１１０が記載されている。
【０００３】
眼鏡フレーム１１０は、ブリッジ１３１を備えるフロント枠１３０の両端部を形成するフロント端部１３２と、蝶番１８０を介してテンプル部１６０が連結されるヨロイ部１５０とが、超弾性材料からなる弾性部材１２０によって接続されている。そして、フロント枠１３０の内側には、レンズ１４０を備えるレンズ枠１７０が取り付けられている。
【０００４】
フロント枠１３０とヨロイ部１５０が超弾性材料で接続されることにより、フロント枠１３０とヨロイ部１５０を相互に、弾性部材１２０において曲げたり捩じったりすることができる。これによって、超弾性材料特有のソフトな装着感を得ることができる。また、使用者の頭部にしっかりと装着され、時間が経過しても前へずり落ちることがない。さらに、掛け外しにおいて無意識に大きな力が働いても、変形することが少ない。
【０００５】
しかし、眼鏡フレーム１１０は、記載された形態からデザインを大きく変化させることが難しいという問題点がある。すなわち、眼鏡フレーム１１０では、フロント枠１３０のフロント端部１３２に、ヨロイ部１５０が一体的に連続して形成されたデザインとしているために、あまり大きな変化を設け難いのである。また、弾性部材１２０は、前から見えないようなデザインとしているために、その取付け形態についても変化させ難い。
【先行技術文献】
【特許文献】
【０００６】
【特許文献１】特開２０１２−１３３１９７号公報
【発明の概要】
【発明が解決しようとする課題】
【０００７】
本発明の目的は、フロント枠とヨロイ部との間に弾性部材を備え、ソフトな装着感を得ることができる眼鏡フレームであって、デザインの幅を広げることが可能な眼鏡フレームを提供することにある。そして、超弾性材料の弾性部材とすることにより、使用者の頭部にしっかりと装着され、時間が経過しても前へずり落ちることがなく、大きな力が働いても変形することのない眼鏡フレームを提供することにある。
【課題を解決するための手段】
【０００８】
本発明の請求項１に係る眼鏡フレームは、ブリッジを備えるフロント枠の両端部を形成するフロント端部と、蝶番を介してテンプル部が連結されるヨロイ部とが、弾性部材によって接続される眼鏡フレームであって、前記フロント端部と前記ヨロイ部とが並置され、前記弾性部材は、Ｕ字状の湾曲部を挟む一対のばね片が、弾性的に開閉する弾性開閉面を備え、前記テンプル部の回動面に沿った力を加えることにより、前記弾性部材が開閉する手段を採用している。
【０００９】
また、本発明の請求項２に係る眼鏡フレームは、請求項１に記載の眼鏡フレームにおいて、前記ヨロイ部が、前記フロント端部の下側に並置されている手段を採用している。
また、本発明の請求項３に係る眼鏡フレームは、請求項１又は２に記載の眼鏡フレームにおいて、前記弾性部材が、前記湾曲部を、前記ブリッジから離間する方向に向けて位置する手段を採用している。
【００１０】
また、本発明の請求項４に係る眼鏡フレームは、請求項１乃至３の何れか１項に記載の眼鏡フレームにおいて、前記一対のばね片について、外側に位置する方を第１のばね片、内側に位置する方を第２のばね片とするとき、前記第１のばね片の外側部が、前記ヨロイ部の内面に接続される手段を採用している。
また、本発明の請求項５に係る眼鏡フレームは、請求項４に記載の眼鏡フレームにおいて、前記第２のばね片が、端部に接続片を備え、前記接続片の上端部が、前記フロント端部の下面に接続される手段を採用している。
【００１１】
また、本発明の請求項６に係る眼鏡フレームは、請求項１乃至５の何れか１項に記載の眼鏡フレームにおいて、レンズを備えるレンズ枠が、前記フロント枠の内側に取り付けられる手段を採用している。
また、本発明の請求項７に係る眼鏡フレームは、請求項１乃至６の何れか１項に記載の眼鏡フレームにおいて、前記蝶番が、弾性体を備えてなる手段を採用している。
また、本発明の請求項８に係る眼鏡フレームは、請求項１乃至７の何れか１項に記載の眼鏡フレームにおいて、前記弾性部材が、超弾性材料からなる手段を採用している。
【発明の効果】
【００１２】
本発明の眼鏡フレームは、フロント端部とヨロイ部とを並置するとともに、ユニークな形状の弾性部材を採用して、独創的な接続形態を提供することができる。これによって、フロント部とヨロイ部について、新しいデザインを幅広く展開することができる。また、超弾性材料の弾性部材を採用することによって、使用者の頭部にしっかりと装着され、時間が経過しても前へずり落ちることがなく、大きな力が働いても変形することのない眼鏡フレームを提供することができる。
【図面の簡単な説明】
【００１３】
【図１】本発明の眼鏡フレームの一例を示す概略平面図である。
【図２】図１の眼鏡フレームの概略正面図である。
【図３】図１の眼鏡フレームの概略側面図である。
【図４】図１の眼鏡フレームにおける弾性部材であって、概略平面図と、Ａ−Ａ矢視、Ｂ−Ｂ矢視、及びＣ−Ｃ矢視による概略側面図を示す。
【図５】第１の配置例を示し、（ａ）は弾性部材の概略図であり、（ｂ）（ｃ）は配置を示す概略平面図及び概略正面図である。
【図６】第２の配置例を示し、（ａ）は弾性部材の概略図であり、（ｂ）（ｃ）は配置を示す概略平面図及び概略正面図である。
【図７】第３の配置例を示し、（ａ）は弾性部材の概略図であり、（ｂ）（ｃ）は配置を示す概略平面図及び概略正面図である。
【図８】第４の配置例を示し、（ａ）は弾性部材の概略図であり、（ｂ）（ｃ）は配置を示す概略平面図及び概略正面図である。
【図９】第５の配置例を示し、（ａ）は弾性部材の概略図であり、（ｂ）（ｃ）は配置を示す概略平面図及び概略正面図である。
【図１０】図１の蝶番とテンプル部との接続態様を示し、（ａ）は概略平面図、（ｂ）は一部断面を示す概略平面図である。
【図１１】図１のレンズ枠とフロント部との接続態様であって、（ａ）は図１の部分拡大図、（ｂ）は図２の部分拡大図、（ｃ）はレンズ及びレンズ枠の概略平面図、（ｄ）はその概略正面図である。
【図１２】従来の眼鏡フレームを示し、（ａ）は概略平面図、（ｂ）は蝶番とテンプルとの接続態様を示す概略平面図、（ｃ）は（ｂ）の一部断面概略平面図である。
【発明を実施するための形態】
【００１４】
図１〜４により、本発明の一例である眼鏡フレーム１０について概要を説明する。眼鏡フレーム１０は、金属製の場合であるが、樹脂製とすることもできる。また、ハーフリムタイプの外観としているが、フルリムタイプの外観とすることもできる。
眼鏡フレーム１０は、ブリッジ３１を備えるフロント枠３０の両端部を形成するフロント端部３２と、蝶番８０を介してテンプル部６０が連結されるヨロイ部５０とが、弾性部材２０によって接続されている。
【００１５】
レンズ４０を備えるレンズ枠７０は、ノーズパッド７５を備えてフロント枠３０の内側に取り付けられている。また、テンプル部６０にはモダン６５が設けられている。
テンプル部６０は、蝶番８０を軸として回動するので、テンプル部６０の回動面を考えることができる。通常、左右のテンプル部６０について、その回動面は互いに略同一面としている。
【００１６】
弾性部材２０は、図４に示すように、Ｕ字状の湾曲部２１を挟む一対のばね片（第１のばね片２２ａと第２のばね片２２ｂ）からなる弾性本体部２３を備えている。そして、第２のばね片２２ｂの延長上に接続片２６を備えている。
第１のばね片２２ａ及び第２のばね片２２ｂは、これらを含む平面において、弾性的に開閉すると考えることができるので、弾性本体部２３にＸ−Ｘで示す面を、弾性開閉面とすることができる。
【００１７】
本発明の眼鏡フレーム１０の第１の特徴は、フロント端部３２とヨロイ部５０とが並置されていることである。すなわち、図２に示すように、フロント端部３２とヨロイ部５０とは、上下方向に重なるように並べて配置されている。この他に、内外方向に重なるように並べて配置される場合もある。
【００１８】
本明細書において、上下及び内外の関係は、人が眼鏡を着用しているときの状態における位置関係であり、内外については、人の頭部が位置する側が内側である。眼鏡フレーム１０では、ヨロイ部５０が、フロント端部３２の下側に並置されている。
ただし、弾性本体部２３の一対のばね片（第１のばね片２２ａと第２のばね片２２ｂ）に関しては、相互に向い合う側を内側部、反対側を外側部と呼ぶことにする。
【００１９】
本発明の眼鏡フレーム１０の第２の特徴は、弾性本体部２３の弾性開閉面を、テンプル部６０の回動面と略同一面としていることである。
このため、テンプル部６０の回動面に沿った力を加えると、弾性部材２０には、弾性本体部２３を弾性的に開閉するような力が作用することになる。眼鏡フレーム１０では、弾性本体部２３が、湾曲部２１をブリッジ３１から離間する方向に向けて配置されているので、テンプル部６０を大きく開くような力を加えると、弾性本体部２３には閉じる方向の力が作用することになる。
【００２０】
本発明の第１の特徴である、フロント端部３２とヨロイ部５０とを並置する関係については、上下方向に並置する場合と内外方向に並置する場合があり、多くの実用的な配置が考えられる。このため、新しいデザインが幅広く創造されることになる。
本発明の第２の特徴である弾性部材２０については、その弾性開閉面をテンプル部６０の回動面と略同一面とするために、フロント端部３２とヨロイ部５０の配置に合わせて、様々な形態を用意することになる。
【００２１】
以下、フロント端部３２とヨロイ部５０との配置例を具体的に挙げて、各場合における弾性部材２０Ａ、２０Ｂ……の形態とともに説明する。
本発明の基本的な考えを示すために、各図面は単純化して示しているが、実際には図４に示したように、曲線や曲面を使用して複雑な形状にデザインすることができる。
【００２２】
図５は第１の配置例であり、フロント端部３２を内側とし、ヨロイ部５０を外側にして内外方向に並置し、弾性部材２０Ａによって接続した例である。
図５（ａ）に示すように、弾性部材２０Ａは、Ｕ字状の湾曲部２１を挟む一対のばね片（第１のばね片２２ａ及び第２のばね片２２ｂ）からなる弾性本体部２３を備えている。そして、Ｘ−Ｘで示す面が、弾性的に開閉する弾性開閉面を形成している。
【００２３】
図５（ｂ）は概略平面図であり、図５（ｃ）は概略正面図である。ヨロイ部５０の内面とフロント端部３２の内面が、弾性部材２０Ａによって接続されている。ヨロイ部５０の内面には、第１のばね片２２ａの外側部が接続されている。また、フロント端部３２の内面には、第２のばね片２２ｂの内側部が接続されている。
図５（ｂ）に示すように、ヨロイ部５０の内面及びフロント端部３２の内面には、接続部分に凹みを設けて、位置決めが容易に行えるようにしている。
【００２４】
弾性部材２０Ａは、湾曲部２１をブリッジ３１から離間する方向に向けて配置されているので、テンプル部６０を大きく開くような力を加えると、その回動面に沿う力によって弾性本体部２３を閉じる方向の力が作用することになる。
超弾性材料の弾性部材２０Ａを採用することによって、使用者の頭部にしっかりと装着され、時間が経過しても前へずり落ちることがなく、大きな力が働いても変形することのない眼鏡フレームを提供することができる。
【００２５】
図６は第２の配置例であり、フロント端部３２を外側とし、ヨロイ部５０を内側にして内外方向に並置し、弾性部材２０Ｂによって接続した例である。
図６（ａ）に示すように、弾性部材２０Ｂは、Ｕ字状の湾曲部２１を挟む一対のばね片（第１のばね片２２ａ及び第２のばね片２２ｂ）からなる弾性本体部２３を備えている。そして、Ｘ−Ｘで示す面が、弾性的に開閉する弾性開閉面を形成している。
【００２６】
図６（ｂ）は概略平面図であり、図６（ｃ）は概略正面図である。フロント端部３２の内面とヨロイ部５０の内面が、弾性部材２０Ｂによって接続されている。フロント端部３２の内面には、第１のばね片２２ａの外側部が接続されている。また、ヨロイ部５０の内面には、第２のばね片２２ｂの内側部が接続されている。
図６（ｂ）に示すように、ヨロイ部５０の内面及びフロント端部３２の内面には、接続部分に凹みを設けて、位置決めが容易に行えるようにしている。
【００２７】
弾性部材２０Ｂは、湾曲部２１をブリッジ３１の方向に向けて配置されているので、テンプル部６０を大きく開くような力を加えると、その回動面に沿う力によって弾性本体部２３を閉じる方向の力が作用することになる。
超弾性材料の弾性部材２０Ｂを採用することによって、使用者の頭部にしっかりと装着され、時間が経過しても前へずり落ちることがなく、大きな力が働いても変形することのない眼鏡フレームを提供することができる。
【００２８】
図７は第３の配置例であり、フロント端部３２を上側とし、ヨロイ部５０を下側にして上下方向に並置した例であるが、同時に、フロント端部３２はヨロイ部５０よりも内側に位置している。そして、弾性部材２０Ｃによって接続されている。
図７（ａ）に示すように、弾性部材２０Ｃは、Ｕ字状の湾曲部２１を挟む一対のばね片（第１のばね片２２ａ及び第２のばね片２２ｂ）からなる弾性本体部２３を備えている。そして、Ｘ−Ｘで示す面が、弾性的に開閉する弾性開閉面を形成している。また、第２のばね片２２ｂの延長上には、上方に向かう接続片２６を備えている。
【００２９】
図７（ｂ）は概略平面図であり、図７（ｃ）は概略正面図である。ヨロイ部５０の内面とフロント端部３２の内面が、弾性部材２０Ｃによって接続されている。ヨロイ部５０の内面には、第１のばね片２２ａの外側部が接続されている。また、フロント端部３２の内面には、接続片２６の内側部が接続されている。
図７（ｂ）に示すように、ヨロイ部５０の内面及びフロント端部３２の内面には、接続部分に凹みを設けて、位置決めが容易に行えるようにしている。
【００３０】
弾性部材２０Ｃは、湾曲部２１をブリッジ３１から離間する方向に向けて配置されているので、テンプル部６０を大きく開くような力を加えると、その回動面に沿う力によって弾性本体部２３を閉じる方向の力が作用することになる。
超弾性材料の弾性部材２０Ｃを採用することによって、使用者の頭部にしっかりと装着され、時間が経過しても前へずり落ちることがなく、大きな力が働いても変形することのない眼鏡フレームを提供することができる。
【００３１】
図８は第４の配置例であり、フロント端部３２を上側とし、ヨロイ部５０を下側にして上下方向に並置した例であるが、同時に、フロント端部３２はヨロイ部５０よりも外側に位置している。そして、弾性部材２０Ｄによって接続されている。
図８（ａ）に示すように、弾性部材２０Ｄは、Ｕ字状の湾曲部２１を挟む一対のばね片（第１のばね片２２ａ及び第２のばね片２２ｂ）からなる弾性本体部２３を備えている。そして、Ｘ−Ｘで示す面が、弾性的に開閉する弾性開閉面を形成している。また、第２のばね片２２ｂの延長上には、下方に向かう接続片２６を備えている。
【００３２】
図８（ｂ）は概略平面図であり、図８（ｃ）は概略正面図である。ヨロイ部５０の内面とフロント端部３２の内面が、弾性部材２０Ｄによって接続されている。フロント端部３２の内面には、第１のばね片２２ａの外側部が接続されている。また、ヨロイ部５０の内面には、接続片２６の内側部が接続されている。
図８（ｂ）に示すように、ヨロイ部５０の内面及びフロント端部３２の内面には、接続部分に凹みを設けて、位置決めが容易に行えるようにしている。
【００３３】
弾性部材２０Ｄは、湾曲部２１をブリッジ３１から離間する方向に向けて配置されているので、テンプル部６０を大きく開くような力を加えると、その回動面に沿う力によって弾性本体部２３を開く方向の力が作用することになる。
超弾性材料の弾性部材２０Ｄを採用することによって、使用者の頭部にしっかりと装着され、時間が経過しても前へずり落ちることがなく、大きな力が働いても変形することのない眼鏡フレームを提供することができる。
【００３４】
図９は第５の配置例であり、フロント端部３２を上側とし、ヨロイ部５０を下側にして上下方向に並置した例であるが、同時に、フロント端部３２はヨロイ部５０よりも内側に位置している。そして、弾性部材２０Ｅによって接続されている。
図９（ａ）に示すように、弾性部材２０Ｅは、Ｕ字状の湾曲部２１を挟む一対のばね片（第１のばね片２２ａ及び第２のばね片２２ｂ）からなる弾性本体部２３を備えている。そして、Ｘ−Ｘで示す面が、弾性的に開閉する弾性開閉面を形成している。また、第２のばね片２２ｂの延長上には、上方に向かう接続片２６を備えている。
【００３５】
図９（ｂ）は概略平面図であり、図９（ｃ）は概略正面図である。ヨロイ部５０の内面とフロント端部３２の下面が、弾性部材２０Ｅによって接続されている。ヨロイ部５０の内面には、第１のばね片２２ａの外側部が接続されている。また、フロント端部３２の下面には、接続片２６の上端部が接続されている。
図９（ｂ）（ｃ）に示すように、ヨロイ部５０の内面及びフロント端部３２の下面には、接続部分に凹みを設けて、位置決めが容易に行えるようにしている。
【００３６】
弾性部材２０Ｅは、湾曲部２１をブリッジ３１から離間する方向に向けて配置されているので、テンプル部６０を大きく開くような力を加えると、その回動面に沿う力によって弾性本体部２３を閉じる方向の力が作用することになる。
超弾性材料の弾性部材２０Ｅを採用することによって、使用者の頭部にしっかりと装着され、時間が経過しても前へずり落ちることがなく、大きな力が働いても変形することのない眼鏡フレームを提供することができる。
【００３７】
図１〜３に示した眼鏡フレーム１０は、第５の配置例に示した配置であり、図４に示した弾性部材２０は、弾性部材２０Ｅをデザイン的に変形したものである。
すなわち、眼鏡フレーム１０では、ヨロイ部５０の内面とフロント端部３２の下面が、弾性部材２０によって接続されている。ヨロイ部５０の内面には、第１のばね片２２ａの外側部が接続されている。また、フロント端部３２の下面には、接続片２６の上端部が接続されている。
【００３８】
以上により、フロント端部３２とヨロイ部５０との配置に関する説明を終了し、以下に眼鏡フレーム１０についての説明を続ける。
【００３９】
図１０に示すように、眼鏡フレーム１０における蝶番８０は、テンプル部６０側のコマとして弾性体８５を使用している。
すなわち、一方のコマは、ヨロイ部５０に固定されている。他方のコマは、テンプル部６０に沿って長く伸びた弾性体８５であり、その先端８２が、ピンポイントでテンプル部６０に融着されている。
【００４０】
そして、弾性体８５の外面８１が接するテンプル部６０の内面６１は、僅かに湾曲して先端８２に近い部分のみが接触している。
このため、テンプル部６０を開くような力を加えると、弾性体８５がテンプル部６０に沿って湾曲するように変形し、弾性体８５の外面８１がテンプル部６０の内面６１に、長い距離で密着するように変形する。
【００４１】
弾性体８５は、弾性部材２０と同様の機能を備えるものであるが、次のような技術思想により、少し役割が相違している。ソフトな装着感を得るという本発明の目的を達成するためには、テンプル部６０に位置する弾性体８５よりも、フロント端部３２に位置する弾性部材２０の方が好適である。
このため、ソフトな装着感を得るための機能は、主に弾性部材２０に機能させるようにして、予備的に弾性体８５を機能するように、両者の弾性力を設定している。すなわち、通常機能するのは弾性部材２０であるが、誤って大きな外力が作用したときに弾性体８５が機能するようになっている。
【００４２】
また、図１１に示すように、眼鏡フレーム１０では、レンズ４０及びノーズパッド７５を備えるレンズ枠７０が、フロント枠３０の内側に取り付けられている。
図１１（ａ）は、図１の部分拡大図であり、図１１（ｂ）は図２の部分拡大図である。
フロント枠３０は、ブリッジ３１の近傍に接続部３５を備え、レンズ枠７０が、ここに接続されている。
【００４３】
図１１（ａ）（ｂ）からフロント枠３０を除いて、レンズ４０を備えるレンズ枠７０を、図１１（ｃ）（ｄ）に示す。眼鏡フレーム１０では、レンズ枠７０をハーフリムタイプとしているが、フルリムタイプとすることもできる。レンズ４０との接合部が短いハーフリムタイプとすることにより、レンズ４０の取り付け作業を容易にすることができる。
【符号の説明】
【００４４】
１０：  眼鏡フレーム
２０：  弾性部材
２１：  湾曲部
２２ａ：  第１のばね片
２２ｂ：  第２のばね片
２６：  接続片
３０：  フロント枠
３１：  ブリッジ
３２：  フロント端部
４０：  レンズ
５０：  ヨロイ部
６０：  テンプル部
７０：  レンズ枠
８０：  蝶番
８５：  弾性体
【図１】
2016145882.tif 000003
【図２】
2016145882.tif 000004
【図３】
2016145882.tif 000005
【図４】
2016145882.tif 000006
【図５】
2016145882.tif 000007
【図６】
2016145882.tif 000008
【図７】
2016145882.tif 000009
【図８】
2016145882.tif 000010
【図９】
2016145882.tif 000011
【図１０】
2016145882.tif 000012
【図１１】
2016145882.tif 000013
【図１２】
2016145882.tif 000014